【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留情報として記憶する保留記憶手段と、
前記有利状態に制御するか否かを決定する決定手段と、
前記決定手段の決定よりも前に前記有利状態に制御されるか否かを判定する判定手段と、
前記判定手段の判定にもとづいて、該判定の対象となった可変表示以前に実行される可変表示において予告演出を実行可能な予告演出実行手段と、
可変表示の実行中に特定演出を実行可能な特定演出実行手段と、
所定条件が成立したときに前記予告演出の実行を制限する制限手段とを備え、
前記特定演出実行手段は、前記判定手段の判定対象となった可変表示以前に実行される可変表示において前記制限手段により前記予告演出の実行が制限されたときに、該判定対象となった可変表示の実行中において高い割合により前記特定演出を実行可能である
ことを特徴とする遊技機。
【請求項２】
実行中の可変表示に対応した可変表示対応表示を表示可能な可変表示対応表示実行手段を備えた
請求項１記載の遊技機。
【手続補正２】
【補正対象書類名】明細書
【補正対象項目名】０００５
【補正方法】変更
【補正の内容】
【０００５】
また、始動領域に遊技媒体が入賞した場合に所定情報を保留記憶として記憶し、保留記憶に対応する変動が開始される前に、該保留記憶に対して予告演出（いわゆる、先読み演出）を実行する遊技機があり、そういった遊技機において、所定条件が成立した場合には該予告演出の実行を制限するものがある。例えば、予告対象である保留記憶より前に記憶されている保留記憶に、リーチとなる保留記憶が含まれていることを所定条件として、先読み演出の実行を制限するものがある（例えば、特許文献１参照。）。
【手続補正３】
【補正対象書類名】明細書
【補正対象項目名】０００７
【補正方法】変更
【補正の内容】
【０００７】
しかしながら、上述した遊技機において、所定条件が成立した場合には予告演出の実行を制限することとなるため、演出の実行頻度が低下する虞があった。
【手続補正４】
【補正対象書類名】明細書
【補正対象項目名】０００９
【補正方法】変更
【補正の内容】
【０００９】
（手段１）本発明による遊技機は、可変表示を行い、遊技者にとって有利な有利状態（例えば、大当り遊技状態）に制御可能な遊技機であって、可変表示に関する情報を保留情報として記憶する保留記憶手段（例えば、第１保留記憶バッファ、第２保留記憶バッファ）と、有利状態に制御するか否かを決定する決定手段（例えば、遊技制御用マイクロコンピュータ５６０における、ステップＳ６１を実行する部分）と、決定手段の決定よりも前に有利状態に制御されるか否かを判定する判定手段（例えば、遊技制御用マイクロコンピュータ５６０における、ステップＳ１２１７，Ｓ１２２８を実行する部分）と、判定手段の判定にもとづいて、該判定の対象となった可変表示以前に実行される可変表示において予告演出（例えば、先読み予告演出（背景変化予告演出、保留変化予告演出））を実行可能な予告演出実行手段（例えば、演出制御用マイクロコンピュータ１００における、ステップＳ４４０３において決定した背景色にもとづいてステップＳ８００４，Ｓ８００６，Ｓ８１０５を実行することにより背景変化予告演出を実行したり、ステップＳ３５０４を実行することにより保留変化予告演出を実行する部分）と、可変表示の実行中に特定演出を実行可能な特定演出実行手段（例えば、演出制御用マイクロコンピュータ１００における、ステップＳ４４１２において決定した特定演出パターンにもとづいてステップＳ８００４，Ｓ８００６，Ｓ８１０５を実行することにより特定演出を実行する部分）と、所定条件（例えば、非リーチはずれとならない保留記憶が記憶されているときに始動入賞が発生すること）が成立したときに予告演出の実行を制限する制限手段（例えば、演出制御用マイクロコンピュータ１００における、ステップＳ３５１０Ａ〜Ｃ，Ｓ３５０７Ａ，Ｂを実行することにより、非リーチはずれとならない保留記憶が記憶されているときに発生した始動入賞に対応する保留記憶を予告対象とした背景変化予告演出を実行しない部分）とを備え、特定演出実行手段は、判定手段の判定対象となった可変表示以前に実行される可変表示において制限手段により予告演出の実行が制限されたときに、該判定対象となった可変表示の実行中において高い割合により特定演出を実行可能である（例えば、演出制御用マイクロコンピュータ１００は、背景変化予告演出の実行を制限した保留記憶に対応する制限情報を記憶し（ステップＳ３５０７参照）、ステップＳ４４０６〜Ｓ４４１０を実行することにより、制限情報が記憶された保留記憶に対する変動においては、制限情報が記憶されていない保留記憶に対する変動よりも高い割合で特定演出を実行する）ことを特徴とする。そのような構成によれば、演出の実行頻度が低下することを防止することができる。
【手続補正５】
【補正対象書類名】明細書
【補正対象項目名】００１１
【補正方法】変更
【補正の内容】
【００１１】
（手段３）手段１または手段２において、予告演出実行手段は、第１予告演出（例えば、背景変化予告演出）と第２予告演出（例えば、保留変化予告演出）とを実行可能であり、制限手段は、所定条件が成立したときに、第１予告演出の実行を第２予告演出の実行よりも高い割合にて制限し（例えば、演出制御用マイクロコンピュータ１００は、ステップＳ３５０１〜Ｓ３５１５において、背景変化予告演出の実行を制限可能であるとともに、保留変化予告演出の実行は一切制限しない。なお、本実施の形態のように、第２予告演出の実行を一切制限しないことにより、「第１予告演出の実行を第２予告演出の実行よりも高い割合にて制限」することを実現するもの（すなわち「第１予告演出の実行を制限する割合：第２予告演出の実行を制限する割合」が「１００：０」であるもの）であってもよいし、または、第１予告演出の実行を制限する割合よりも低い割合で第２予告演出の実行を制限可能であることにより実現するもの（すなわち「第１予告演出の実行を制限する割合：第２予告演出の実行を制限する割合」が「７０：３０」などの値であるもの）であってもよい。）、特定演出実行手段は、第１予告演出の実行が制限されたときに高い割合により特定演出を実行可能である（例えば、演出制御用マイクロコンピュータ１００は、ステップＳ４４０６〜Ｓ４４１０を実行することにより、背景変化予告演出の実行が制限された変動（制限情報が記憶された保留記憶に対する変動）においては、背景変化予告演出の実行が制限された変動（制限情報が記憶されていない保留記憶に対する変動）よりも高い割合で特定演出を実行する）こととしてもよい。そのような構成によれば、第２予告演出が存在することにより、演出の実行頻度が著しく低下することを防止することができる。
【手続補正６】
【補正対象書類名】明細書
【補正対象項目名】００１２
【補正方法】変更
【補正の内容】
【００１２】
（手段４）手段１から手段３のいずれかにおいて、予告演出実行手段は、予告演出として、複数回の可変表示に亘って段階的に演出態様が変化可能な段階予告演出（例えば、変動毎に背景色（青／緑／赤）を段階的に変化可能な背景変化予告演出）を実行可能であり、特定演出実行手段は、段階予告演出の実行が制限されたときに段階的に演出態様が変化可能な特定演出（例えば、擬似変動毎に背景色（青／緑／赤）を段階的に変化可能な特定演出）を実行可能であることとしてもよい。そのような構成によれば、予告演出の実行が制限されたときにも演出効果の低下を防止することができる。